(57)【要約】【課題】半田ごてを持っている手でそのまま温度調整を行うことができる半田ごてを提供する。【解決手段】半田ごては、把手部１の周囲に沿って把手部１に固定される抵抗器本体４と、把手部１の先端部付近に抵抗器本体４の外周に沿って回動自在に設けられる回転リング３とを備えている。抵抗器本体４の外周面には可動子７が摺動自在であり、この可動子７は回転リング３の内周面に固定されている。回転リング３の内側には、該回転リング３の回転操作にクリック感を付与する磁石８、９が設けられている。磁石８、９は、抵抗器本体４の抵抗値が所定の値となる位置に設けられる。【選択図】図２
2007105757.tif 000002
【特許請求の範囲】
【請求項１】
入力電源に直列に接続され、把手部の周囲に沿って抵抗器本体が設けられるとともに可動子の移動により抵抗値が変化する可変抵抗器と、
前記把手部の先端部付近に前記可変抵抗器の外周に沿って回動自在に設けられ、前記可動子が連結された回転リングと、
を備え、
前記可変抵抗器は前記把手部に固定され、前記可動子は前記可変抵抗器の外周面に沿って移動するように前記回転リングの内周部に固定され、
前記回転リングの内側に該回転リングの回転操作にクリック感を付与する回転係止部を設け、該回転係止部は、前記可変抵抗器の抵抗値が所定の値となる前記回転リングの内側の位置に設けた、半田ごて。
【請求項２】
入力電源に直列に接続され、把手部の周囲に沿って抵抗器本体が設けられるとともに可動子の移動により抵抗値が変化する可変抵抗器と、
前記把手部の先端部付近に前記可変抵抗器の外周に沿って回動自在に設けられ、前記可動子が連結された回転リングと、
を備えてなる半田ごて。
【請求項３】
前記可変抵抗器は前記把手部に固定され、前記可動子は前記可変抵抗器の外周面に沿って移動するように前記回転リングの内周部に固定された請求項１記載の半田ごて。
【請求項４】
前記回転リングの内側に該回転リングの回転操作にクリック感を付与する回転係止部を設け、該回転係止部は、前記可変抵抗器の抵抗値が所定の値となる前記回転リングの内側の位置に設けた、請求項２又は３に記載の半田ごて。
【発明の詳細な説明】
【技術分野】
【０００１】
この発明は、半田ごてに関し、特にその温度調整機構に関する。
【背景技術】
【０００２】
従来の半田ごてには、半田ごての利用性を高めるために温度調整できるものがあった。
【０００３】
例えば、特許文献１では、ＡＣケーブルと半田ごてとの間に可変抵抗器からなる温度調整装置を設け、この調整器のダイヤルを回転することにより電流を調整して温度調整している。
【特許文献１】実開昭６３−１１６１６５号公報
【発明の開示】
【発明が解決しようとする課題】
【０００４】
しかしながら、上記の構成の半田ごてでは、温度調整を行おうとするときにいちいち温度調整器のダイヤルを操作することが必要であるため、操作性が非常に悪かった。例えば、左手で半田付けを行うおうとする部品を持ち、右手で半田ごてを持っている状態で温度調整を行おうとする場合、半田ごてを一旦半田ごて置き台に置いてからダイヤル操作を行う必要があった。温度調整を微妙に行う必要があるときには、この操作を繰り返すことになり、操作性が大変悪かった。
【０００５】
そこで、この発明の目的は、半田ごてを持っている手でそのまま温度調整を行うことができる半田ごてを提供することにある。
【課題を解決するための手段】
【０００６】
この発明の半田ごては、上記課題を解決するために、入力電源に直列に接続され、把手部の周囲に沿って抵抗器本体が設けられるとともに可動子の移動により抵抗値が変化する可変抵抗器と、前記把手部の先端部付近に前記可変抵抗器の外周に沿って回動自在に設けられ、前記可動子が連結された回転リングと、を備えたことを特徴とする。
【０００７】
上記構成では、半田ごてを例えば右手で持った状態で、温度調整の可能な回転リングを右手の親指と人指し指で回転することができる。
【０００８】
また、前記可変抵抗器は前記把手部に固定され、前記可動子は前記可変抵抗器の外周面に沿って移動するように前記回転リングの内周部に固定される。可変抵抗器は把手部に固定されることにより、回転対象は回転リングのみとなり、このため操作が軽く構造が簡易となる。
【０００９】
また、前記回転リングの内側に該回転リングの回転操作にクリック感を付与する回転係止部を設け、該回転係止部は、前記可変抵抗器の抵抗値が所定の値となる前記回転リングの内側の位置に設けられる。このような構成によれば、一定の温度となる位置をニュートラル位置として、クリック感が出るようにすることで、操作性がさらに良くなる。
【発明の効果】
【００１０】
この発明によれば、半田ごての把手部を持った手の指で温度調整用の回転リングを操作することができるため、操作性が極めて良くなる。
【発明を実施するための最良の形態】
【００１１】
図１は、この発明の実施形態である半田ごての正面図（同図（Ａ））、底面図（同図（Ｂ））である。
【００１２】
図１において、半田ごての把手部１と、この把手部１に取りつけられているコテ部２とは、従来の半田ごてと同じ構成にある。本実施形態では、把手部１の先端部付近に把手部１の周囲に沿って回転可能な回転リング３が設けられている。把手部１の周囲に沿って回転リング３が設けられているため、把手を持ったまま、把手を持つ手の親指と人指し指で回転リングを回転させることができる。回転リング３は、後述のニュートラル位置から右方向に回転することで温度が低下し、左方向に回転することで温度が上昇する。ニュートラル位置ではクリック感があり、操作者は、このクリック感を得る位置で温度が所定の温度にあることを知ることができ、その位置から右方向に回転することで温度が低下し、左方向に回転することで温度が上昇することを知ることができる。
【００１３】
図２は、図１のＡ−Ａ矢視概略断面図である。
【００１４】
把手部１には、その周囲に沿って、且つ前記回転リング３に対向して、断面が半円形の抵抗器本体４が固定されている。この抵抗器本体４の一端ａはコテ２内に設けられているヒータ部５の一端ｃに接続され、抵抗器本体４の他端ｂはＡＣ電源入力端子６の一端ｆに接続されている。ＡＣ電源入力端子６の他端ｅは、ヒータ部５の他端ｄに接続されている。
【００１５】
前記把手部の先端部付近に回動自在に設けられている回転リング３には、導体子７０が設けられた可動子７が取りつけられている。この可動子７の導体子７０は抵抗器本体４の外周面に摺動可能になっていて、この可動子７と抵抗器本体４とで可変抵抗器を構成している。導体子７０は、リード線によりヒータ部５の一端ｃに接続されている。
【００１６】
以上の接続状態により、半田ごての電気回路は図３に示すようになる。したがって、回転リング３を回転すると、抵抗器本体４の外周面に沿って可動子７が移動し、それにしたがって可変抵抗器４の抵抗値が変化する。その結果、ヒータ部５に流れる電流が増減し温度が変化する。
【００１７】
以上の構成では、抵抗器本体４が把手部１に固定され、回転リング３のみが回転する構造のため、抵抗器本体４も回転する構造に比して操作が軽くなり、また、構造も簡単になる。
【００１８】
本実施形態では、さらに、上記回転リング３に一定の回転角度でクリック感を付与するための回転係止部を設けている。回転係止部は、磁石で構成している。図示のように、回転リング３の内周面と把手部１の外周面に磁石８、９を設け、それらの磁石の対向極性を逆にしている。したがって、磁石８と９が対向するとＮ極とＳ極が対向するため、回転リング３を回転していくと、磁石８と９が対向する位置でクリック感がでてくる。
【００１９】
前記磁石８と９の取り付け位置は、可動子７が抵抗器本体４の中間位置にきたときに、それらが丁度対向する関係とされる。したがって、抵抗器本体４がリニアに変化する抵抗器とした場合に、その抵抗値が中間値を示すときが、磁石８と９が対向する位置となる。この位置をニュートラル位置とする。ニュートラル位置から回転リング３を右方向に回転すると、抵抗値が小さくなり温度が定格温度から上昇する。反対に、ニュートラル位置から回転リング３を左方向に回転すると、抵抗値が大きくなり温度が定格温度から低下する。
【００２０】
なお、可動子７の両端に引っ掛け爪７１、７２が設けられ、また、抵抗器本体４に対向して回転リング３を支持するための支持部材１０、１１に弾性のある係止爪１００、１１０が設けられている。可動子７を図の反時計方向に一杯回転すると引っ掛け爪７２が係止爪１１０に係止され、回転リング３はその位置で仮固定される。反対に、可動子７を図の時計方向に一杯回転すると引っ掛け爪７１が係止爪１００に係止され、回転リング３はその位置で仮固定される。仮固定されている状態で、回転リング３を反対方向へ回転させようとすれば、引っ掛け爪と係止爪との係止状態が解除されて回転する。したがって、半田ごての温度を最大温度または最低温度に調整して使用する場合に便利である。
【００２１】
本発明の他の実施形態として、次の構造も考えられる。すなわち、回転リング３に抵抗器本体４を固定し、回転リング３を回転すると抵抗器本体４も従動するようにする。さらに、可動子７を把手１に固定し抵抗器本体４の内周面を摺動するようにする。このように構成しても、把手１を持つ手の親指と人指し指で回転リング３を回転させることができる。
【００２２】
また、他の実施形態として、ヒータ部５に可変抵抗器を並列接続し、可動子７の移動により、ヒータ部５と抵抗器本体との合成抵抗値が変化するように構成することも可能である。
【００２３】
また、回転リング３に一定の回転角度でクリック感を付与するための回転係止部として、磁石に代えて、爪とその係合部とで構成することも可能である。
【図面の簡単な説明】
【００２４】
【図１】この発明の実施形態である半田ごての正面図、底面図
【図２】図１のＡ−Ａ矢視断面図
【図３】回路図
【符号の説明】
【００２５】
１−把手
３−回転リング
４−抵抗器本体
７−可動子
【図１】
2007105757.tif 000003
【図２】
2007105757.tif 000004
【図３】
2007105757.tif 000005